(57)【要約】【課題】配送伝票に葉書が一体となった構成において、別途印刷物を作製することなく、配送物の配送先に多くの情報を通知する。【解決手段】印字台紙１ａ、支持台紙１ｂ及び剥離台紙１ｃが積層され、印字台紙１ａと支持台紙１ｂとがその一部が剥離可能になるように互いに貼着され、かつ、支持台紙１ｂと剥離台紙１ｃとが剥離可能に貼着されてなる配送伝票１０と、印字台紙１ａ、支持台紙１ｂ及び剥離台紙１ｃが積層されて互いに貼着され、印字台紙１ａと支持台紙１ｂとが剥離可能である葉書部２０とを有し、印字台紙１ａ、支持台紙１ｂ及び剥離台紙３０のそれぞれは、配送伝票１０と葉書部２０とが切り離し可能に連接している。【選択図】図１
2010280161.tif 000002
【特許請求の範囲】
【請求項１】
第１、第２及び第３のシートが積層され、前記第１のシートと前記第２のシートとが少なくともその一部が剥離可能になるように互いに貼着され、かつ、前記第２のシートと前記第３のシートとが剥離可能に貼着されてなる配送伝票と、
前記第１、前記第２及び前記第３のシートが積層されて互いに貼着され、前記第１のシートと前記第２のシートとが剥離可能である葉書部とを有し、
前記第１及び前記第２のシートのそれぞれは、前記配送伝票と前記葉書部とが切り離し可能に連接し、
前記第３のシートは、前記配送伝票と前記葉書部とが少なくともその一部にて切り離し可能に連接している葉書付き配送伝票。
【請求項２】
請求項１に記載の葉書付き配送伝票において、
前記葉書部は、前記第２及び前記第３のシートが、葉書本体と補助部とが折り畳み可能に連接して構成され、
前記葉書本体は、前記補助部が折り畳まれた場合に対向する領域に隠蔽情報記入欄を有し、
前記補助部は、折り畳まれた場合に前記葉書本体に対向する面に、剥離可能でかつ前記葉書本体に貼着可能な貼着構造を有する葉書付き配送伝票。
【請求項３】
請求項２に記載の葉書付き配送伝票において、
前記補助部は、前記第２のシートと前記第３のシートのうちの一方が、前記葉書本体から分離可能に構成され、前記第２のシートと前記第３のシートのうちの他方が、前記第２のシートと前記第３のシートのうちの一方に対向する面に剥離可能でかつ前記葉書本体に貼着可能な貼着構造を有する葉書付き配送伝票。
【発明の詳細な説明】
【技術分野】
【０００１】
本発明は、配送伝票に葉書が一体となった葉書付き配送伝票に関する。
【背景技術】
【０００２】
従来より、配送物を配送する場合、配送物の配送元及び配送先の住所や氏名あるいは名称等の配送情報が記載された配送伝票が用いられ、配送情報が記載された配送伝票が配送物に貼着され、配送伝票に記載された配送情報に従って配送物が配送先に配送されている。
【０００３】
近年、このような配送伝票において葉書と一体としたものが考えられており、特許文献１に開示されている。特許文献１に開示された配送伝票は、上紙と下紙とを、その一部の領域を剥離可能に、また、他の領域を剥離困難にそれぞれ貼り合わせ、上紙と下紙とが剥離可能に貼り合わされた領域を配送伝票とし、上紙と下紙とが剥離困難に貼り合わされた領域を葉書とするものであって、これら配送伝票と葉書とはミシン目によって切り離し可能に構成されている。葉書は、その厚さが規定の厚さ以上である必要があるが、このように、上紙と下紙とを貼り合わせることによりその厚さを確保することができる。
【先行技術文献】
【特許文献】
【０００４】
【特許文献１】特開２００８−２６５１２８号公報
【発明の概要】
【発明が解決しようとする課題】
【０００５】
上述したように配送伝票と葉書とが一体となったものにおいては、配送伝票に一体となった葉書は、その配送伝票が貼付されて配送される配送物の配送先から所定の送付先に送付するためのものであるため、配送物の配送先に情報を通知するためには使用することができない。そのため、配送物の配送先に情報を通知する場合は、通知したい情報が記載された印刷物を別途作製し、配送物に同封しなければならないという問題点がある。
【０００６】
本発明は、上述したような従来の技術が有する問題点に鑑みてなされたものであって、配送伝票に葉書が一体となった構成において、別途印刷物を作製することなく、配送物の配送先に多くの情報を通知することができる葉書付き配送伝票を提供することを目的とする。
【課題を解決するための手段】
【０００７】
上記目的を達成するために本発明は、
第１、第２及び第３のシートが積層され、前記第１のシートと前記第２のシートとが少なくともその一部が剥離可能になるように互いに貼着され、かつ、前記第２のシートと前記第３のシートとが剥離可能に貼着されてなる配送伝票と、
前記第１、前記第２及び前記第３のシートが積層されて互いに貼着され、前記第１のシートと前記第２のシートとが剥離可能である葉書部とを有し、
前記第１及び前記第２のシートのそれぞれは、前記配送伝票と前記葉書部とが切り離し可能に連接し、
前記第３のシートは、前記配送伝票と前記葉書部とが少なくともその一部にて切り離し可能に連接している。
【０００８】
上記のように構成された本発明においては、第１、第２及び第３のシートが積層されて構成された配送伝票と、第１、第２及び第３のシートが積層されて互いに貼着されて構成された葉書部とが、第１及び第２のシートのそれぞれが、配送伝票と葉書部とが切り離し可能に連接し、第３のシートが、配送伝票と葉書部とが少なくともその一部にて切り離し可能に連接しており、このうち、配送伝票は、第３のシートが第２のシートから剥離されて配送物に貼付されて使用される。また、葉書部は、第２のシートと第３のシートとが貼着されていることにより規定の厚さが確保され、かつ、第１のシートを第２のシートから剥離可能とすることにより、第１のシートを、通知情報を表示するためのシートとして使用することができる。
【０００９】
このように、第１、第２及び第３のシートが積層されて構成された配送伝票に、第１、第２及び第３のシートが積層されて互いに貼着されて構成された葉書部を連接することにより、配送伝票に葉書が一体となった構成において、葉書部を構成する第１、第２及び第３のシートのうち第１のシートを、第２のシートから剥離可能として通知情報を表示するためのシートとして使用可能な構成としたので、葉書部を用いて情報を通知することが可能となり、それにより、別途印刷物を作製することなく、配送物の配送先に多くの情報を通知することができ、さらには、通知情報を表示するためのシートとして使用される第１のシートが葉書部を構成する第２及び第３のシートから剥離可能であることにより、第１のシートの両面に通知情報を印刷しておけば、第２及び第３のシートから第１のシートを剥離した際にさらに多くの情報を配送物の配送先に通知することができるようになる。
【００１０】
また、葉書部が、第２及び第３のシートが、葉書本体と補助部とが折り畳み可能に連接して構成され、葉書本体が、補助部が折り畳まれた場合に対向する領域に隠蔽情報記入欄を有し、補助部が、折り畳まれた場合に葉書本体に対向する面に、剥離可能でかつ葉書本体に貼着可能な貼着構造を有する構成とすれば、補助部を折り畳み、補助部の貼着構造によって葉書本体に補助部を剥離可能に貼着することができ、それにより、隠蔽情報記入欄に記入された情報を隠蔽した状態で葉書を送付することができる。
【００１１】
また、補助部について、第２のシートと第３のシートのうちの一方が、葉書本体から分離可能に構成され、第２のシートと第３のシートのうちの他方が、第２のシートと第３のシートのうちの一方に対向する面に剥離可能でかつ葉書本体に貼着可能な貼着構造を有する構成とすれば、隠蔽情報記入欄に記入された情報を隠蔽するために葉書本体に剥離可能に貼着される補助部が第２のシートと第３のシートのうちのいずれか一方となり、それにより、葉書本体を送付する際に補助部が貼着された領域と他の領域とで厚さの差が小さくなり、郵便区分け機に葉書本体を通した場合にエラーが生じてしまうことが回避される。
【発明の効果】
【００１２】
以上説明したように本発明においては、第１、第２及び第３のシートが積層されて構成された配送伝票に、第１、第２及び第３のシートが積層されて互いに貼着されて構成された葉書部を連接することにより、配送伝票に葉書が一体となった構成において、葉書部を構成する第１、第２及び第３のシートのうち第１のシートを、第２のシートから剥離可能として通知情報を表示するためのシートとして使用可能な構成としたため、葉書部を用いて情報を通知することが可能となり、それにより、別途印刷物を作製することなく、配送物の配送先に多くの情報を通知することができ、さらには、通知情報を表示するためのシートとして使用される第１のシートが葉書部を構成する第２及び第３のシートから剥離可能であることにより、第１のシートの両面に通知情報を印刷しておけば、第２及び第３のシートから第１のシートを剥離した際にさらに多くの情報を配送物の配送先に通知することができるようになる。
【００１３】
また、葉書部が、第２及び第３のシートが、葉書本体と補助部とが折り畳み可能に連接して構成され、葉書本体が、補助部が折り畳まれた場合に対向する領域に、隠蔽情報記入欄を有し、補助部が、折り畳まれた場合に葉書本体に対向する面に、剥離可能でかつ葉書本体に貼着可能な貼着構造を有する構成としたものにおいては、補助部を折り畳み、補助部の貼着構造によって葉書本体に補助部を剥離可能に貼着することができ、それにより、隠蔽情報記入欄に記入された情報を隠蔽した状態で葉書を送付することができる。
【００１４】
また、補助部について、第２のシートと第３のシートのうちの一方が、葉書本体から分離可能に構成され、第２のシートと第３のシートのうちの他方が、第２のシートと第３のシートのうちの一方に対向する面に剥離可能でかつ葉書本体に貼着可能な貼着構造を有する構成としたものにおいては、隠蔽情報記入欄に記入された情報を隠蔽するために葉書本体に剥離可能に貼着される補助部が第２のシートと第３のシートのうちのいずれか一方となり、それにより、葉書本体を送付する際に補助部が貼着された領域と他の領域とで厚さの差が小さくなり、郵便区分け機に葉書本体を通した場合にエラーが生じてしまうことを回避することができる。
【図面の簡単な説明】
【００１５】
【図１】本発明の葉書付き配送伝票の第１の実施の形態を示す図であり、（ａ）は表面図、（ｂ）は（ａ）に示したＡ−Ａ’断面図、（ｃ）は（ａ）に示したＢ−Ｂ’断面図、（ｄ）は（ｂ），（ｃ）に示した支持台紙の表面の構成を示す図である。
【図２】図１に示した葉書付き配送伝票に印字が行われた状態を示す図である。
【図３】図１に示した葉書付き配送伝票から受領票、貼付票及びシール部を剥離していく使用状態を示す図である。
【図４】図１に示した葉書付き配送伝票に設けられた葉書部を用いた返信方法を説明するための図である。
【図５】図１に示した葉書付き配送伝票に設けられた葉書部を用いた返信方法を説明するための図である。
【図６】本発明の葉書付き配送伝票の第２の実施の形態を示す図であり、（ａ）は表面図、（ｂ）は（ａ）に示したＡ−Ａ’断面図、（ｃ）は（ａ）に示したＢ−Ｂ’断面図、（ｄ）は（ｂ），（ｃ）に示した支持台紙の表面の構成を示す図である。
【図７】図６に示した葉書部の使用方法を説明するための図である。
【図８】本発明の葉書付き配送伝票の第３の実施の形態を示す図であり、（ａ）は表面図、（ｂ）は（ａ）に示したＡ−Ａ’断面図、（ｃ）は（ａ）に示したＢ−Ｂ’断面図、（ｄ）は（ｂ），（ｃ）に示した支持台紙の表面の構成を示す図である。
【図９】図８に示した葉書部の使用方法を説明するための図である。
【発明を実施するための形態】
【００１６】
以下に、本発明の実施の形態について図面を参照して説明する。
【００１７】
（第１の実施の形態）
図１は、本発明の葉書付き配送伝票の第１の実施の形態を示す図であり、（ａ）は表面図、（ｂ）は（ａ）に示したＡ−Ａ’断面図、（ｃ）は（ａ）に示したＢ−Ｂ’断面図、（ｄ）は（ｂ），（ｃ）に示した支持台紙１ｂの表面の構成を示す図である。
【００１８】
本形態は図１に示すように、第１のシートである印字台紙１ａと、第２のシートである支持台紙１ｂと、第３のシートである剥離台紙１ｃとが積層されて構成されており、印字台紙１ａ、支持台紙１ｂ及び剥離台紙１ｃが積層された領域が配送伝票１０及び葉書部２０となり、印字台紙１ａのみの領域が帳票部３０となっている。そして、配送伝票１０と葉書部２０とは、印字台紙１ａ及び支持台紙１ｂに形成されたスリット４０、並びに剥離台紙１ｃに形成されたミシン目５０によって切り離し可能に連接しており、葉書部２０と帳票部３０とが印字台紙１ａによって連接している。このように、葉書部２０は、印字台紙１ａ、支持台紙１ｂ及び剥離台紙１ｃが積層された３層構造となっているが、支持台紙１ｂ及び剥離台紙１ｃが積層された２層構造によって、葉書として決められた所定の厚さが確保されている。
【００１９】
配送伝票１０は、受領票１１と貼付票１２とシール部１３とから構成されており、受領票１１と貼付票１２とは、印字台紙１ａのみに形成されたスリット１４ａによって分離可能となっており、また、貼付票１２とシール部１３とは、印字台紙１ａ及び支持台紙１ｂに形成されたスリット１４ｂによって分離可能となっている。すなわち、スリット１４ａは、受領票１１と貼付票１２との境界において印字台紙１ａにのみ形成されており、スリット１４ｂは、貼付票１２とシール部１３との境界において印字台紙１ａ及び支持台紙１ｂに形成されている。
【００２０】
受領票１１は、印字台紙１ａに、この配送伝票１０が貼付される配送物の配送先や配送元の住所や氏名、あるいは配送物の品名等の配送情報が印字される配送情報記載欄１１ａが設けられるとともに、配送物の配送先にて受領印を押下するための押印欄１１ｂが設けられている。また、角部の１つに、印字台紙１ａのみが切り欠かれた切り欠き１１ｃが設けられている。なお、切り欠き１１は、必ずしも設けておく必要はない。
【００２１】
貼付票１２は、印字台紙１ａに、この配送伝票１０が貼付される配送物の配送先や配送元の住所や氏名、あるいは配送物の品名等の配送情報が印字される配送情報記載欄１２ａが設けられている。
【００２２】
葉書部２０は、印字台紙１ａに、この葉書付き配送伝票が用いられて配送される配送物の配送先に通知される通知情報が印字される通知情報記載欄２４が設けられているとともに、支持台紙１ｂに、この葉書付き配送伝票が用いられて配送される配送物の配送先からの返信に用いる場合の宛先を示す宛先情報２５が印刷されており、また、支持台紙１ｂ及び剥離台紙１ｃについては、支持台紙１ｂ及び剥離台紙１ｃに形成されたミシン目２３によって葉書本体２１と補助部２２とに切り離し可能に構成されている。
【００２３】
帳票部３０は、この葉書付き配送伝票が用いられて配送される配送物についての明細情報が記載される納品書３１と、配送物の代金を支払うための振込用紙３２とから構成されており、これら納品書３１と振込用紙３２とは、印字台紙１ａに形成されたミシン目６０によって切り離し可能となっている。帳票部３０は、上述したように印字台紙１ａのみからなる１層構造となっており、それにより、振込用紙３２が、振込用紙として決められた厚さとなっている。
【００２４】
印字台紙１ａは、支持台紙１ｂに対向する面のうち受領票１１及び葉書部２０となる領域に剥離用印刷５が施されている。また、支持台紙１ｂは、印字台紙１ａに対向する面の全面に、剥離後は貼着機能が再現しない擬似接着剤２が塗布されており、また、剥離台紙１ｃに対向する面の全面に粘着剤３が塗布されている。また、剥離台紙１ｃは、支持台紙２に対向する面のうち配送伝票１０となる領域にシリコン等からなる剥離剤４が塗布されている。なお、剥離台紙１ｃは、配送伝票１０と葉書部２０とを切り離すためのミシン目５０が形成されているが、このミシン目５０は、葉書部２０のうち少なくとも葉書本体２１と配送伝票１０との境界に形成されていればよい。なお、擬似接着剤２としては、所定の圧力をかけることによって貼着機能を有する感圧接着剤や、生乾きのニスを用いて貼着機能が生じる接着剤等を用いることが考えられる。
【００２５】
これにより、配送伝票１０は、印字台紙１ａと支持台紙１ｂとが擬似接着剤２及び剥離用印刷５によって受領票１１のみが剥離可能となるように互いに貼着され、支持台紙１ｂと剥離台紙１ｃとが粘着剤３及び剥離剤４によって剥離可能に貼着されている。また、葉書部２０は、印字台紙１ａと支持台紙１ｂとが擬似接着剤２及び剥離用印刷５によって剥離可能に貼着され、支持台紙１ｂと剥離台紙１ｃとが粘着剤３によって貼着されている。
【００２６】
以下に、上記のように構成された葉書付き配送伝票の使用方法について説明する。
【００２７】
図２は、図１に示した葉書付き配送伝票に印字が行われた状態を示す図である。
【００２８】
図１に示した葉書付き配送伝票を用いて配送物を配送する場合は、まず、葉書付き配送伝票に対して印字を行う。図１に示した葉書付き配送伝票においては、上述したように、印字台紙１ａの配送伝票１０となる領域に、この配送伝票１０が貼付される配送物の配送先や配送元の住所や氏名、あるいは配送物の品名等の配送情報が印字される配送情報記載欄１１ａ，１２ａが設けられているとともに、帳票部３０となる領域にこの葉書付き配送伝票が用いられて配送される配送物についての明細情報が記載される納品書３１と、配送物の代金を支払うための振込用紙３２とが配置されているため、図２に示すように、配送伝票１０に設けられた配送情報記載欄１１ａ，１２ａに、この配送伝票１０が貼付される配送物の配送先や配送元の住所や氏名、あるいは配送物の品名等の配送情報１１ｄ，１２ｂがそれぞれ印字されるとともに、納品書３１に、この配送伝票用シートが用いられて配送される配送物についての明細情報３１ａが印字され、また、振込用紙３２には、配送物の代金を支払うために必要となる払込情報３２ａが印字される。また、葉書部２０に設けられた通知情報記載欄２４に、この葉書付き配送伝票が用いられて配送される配送物の配送先に通知される通知情報２４ａが印字される。
【００２９】
このように、配送情報記載欄１１ａ，１２ａへの配送情報１１ｄ，１２ｂの印字と、納品書３１への明細情報３１ａの印字と、振込用紙３２への払込情報３２ａの印字と、通知情報記載欄２４への通知情報２４ａの印字とが同時に行われるため、この葉書付き配送伝票が用いられて配送される配送物の配送先に応じてこれらの情報をマッチング処理を行うことなく個別に印字することができる。
【００３０】
配送情報記載欄１１ａ，１２ａに配送情報１１ｄ，１２ｂがそれぞれ印字されるとともに、納品書３１に明細情報３１ａが印字され、また、振込用紙３２に払込情報３２ａが印字され、さらに、通知情報記載欄２４に通知情報２４ａが印字された葉書付き配送伝票は、配送伝票１０の受領票１１、貼付票１２及びシール部１３が剥離されて使用される。
【００３１】
図３は、図１に示した葉書付き配送伝票から受領票１１、貼付票１２及びシール部１３を剥離していく使用状態を示す図である。
【００３２】
配送情報記載欄１１ａ，１２ａに配送情報１１ｄ，１２ｂがそれぞれ印字されるとともに、納品書３１に明細情報３１ａが印字され、また、振込用紙３２に払込情報３２ａが印字され、さらに、通知情報記載欄２４に通知情報２４ａが印字された後、配送伝票１０の受領票１１、貼付票１２及びシール部１３を配送物に貼付するために、配送伝票１０の支持台紙１ｂと剥離台紙１ｃとを剥離する。支持台紙１ｂと剥離台紙１ｃとは、支持台紙１ｂに塗布された粘着剤３によって互いに貼着されているものの、剥離台紙１ｃの貼着面には剥離剤４が塗布されているため、これら支持台紙１ｂと剥離台紙１ｃとを剥離することができる。
【００３３】
また、貼付票１２とシール部１３との境界に形成されたスリット１４ｂは、印字台紙１ａ及び支持台紙１ｂに形成されているので、支持台紙１ｂと剥離台紙１ｃとを剥離すると、図３（ａ）に示すように、貼付票１２とシール部１３とが分離する。また、受領票１１と貼付票１２との境界に形成されたスリット１４ａは、印字台紙１ａにのみ形成されているので、支持台紙１ｂと剥離台紙１ｃとを剥離しても分離しない。
【００３４】
このようにして剥離台紙１ｃから剥離した受領票１１、貼付票１２及びシール部１３を、支持台紙１ｂの裏面に塗布された粘着剤３によって配送物に貼付する。この際、上述したように貼付票１２とシール部１３とが分離しており、また、受領票１１と貼付票１２とが分離していないため、図３（ｂ）に示すように、配送物７には、受領票１１と貼付票１２とが一体となって、かつ、シール部１３がこれら受領票１１及び貼付票１２とから分離した状態で貼付されることになる。
【００３５】
また、受領票１１、貼付票１２及びシール部１３が剥離された葉書付き配送伝票は、配送物７の中に収納され、配送物７とともに配送されることになる。
【００３６】
受領票１１、貼付票１２及びシール部１３が貼付された配送物７は、配送情報記載欄１１ａ，１２ａに印字された配送情報１１ｄ，１２ｂに従って配送先に配送される。配送物７が配送先に配送されると、押印欄１１ｂに受領印が押下される。配送業者においては、この受領印によって配送物７が配送先にて受け取られたことを証明するため、押印欄１１ｂに受領印が押下された受領票１１を回収する必要がある。そこで、配送物７に貼付された配送伝票１０のうち、受領票１１となる領域において印字台紙１ａと支持台紙１ｂとを剥離する。受領票１１となる領域においては、印字台紙１ａと支持台紙１ｂとが、支持台紙１ｂに塗布された擬似接着剤２によって互いに貼着されているものの、印字台紙１ａの貼着面には剥離用印刷５が施されているため、これら印字台紙１ａと支持台紙１ｂとを容易に剥離することができる。この際、受領票１１に形成された切り欠き１１ｃを摘み代として、印字台紙１ａと支持台紙１ｂとを剥離していくことになるが、受領票１１と貼付票１２との境界に形成されたスリット１４ａは、印字台紙１ａのみに形成されているので、図３（ｃ）に示すように、支持台紙１ｂにおいては、支持台紙１ｂの裏面に貼付された粘着剤３によって配送物７に貼付されたまま、印字台紙１ａのみにおいて受領票１１が貼付票１２から分離することになる。なお、支持台紙１ｂの受領票１１となる領域に広告等の通知情報を印刷しておけば、受領票１１を剥離した際、この通知情報を配送物７の配送先に通知することができる。また、受領票１１を剥離した領域には、支持台紙１ｂに塗布された擬似接着剤２が表出するが、擬似接着剤２は、剥離後は貼着機能が再現しないものであるため、受領票１１を剥離することにより表出した領域がべたつくことがない。
【００３７】
また、受領票１１、貼付票１２及びシール部１３が剥離された葉書付き配送伝票は、配送物７から取り出される。配送伝票１０から受領票１１、貼付票１２及びシール部１３が剥離された状態においては、配送伝票１０となる領域については、剥離台紙１ｃが表出する。そのため、剥離台紙１ｃの配送伝票１０となる領域に、図３（ｄ）に示すように、この配送物７の配送先に通知したい通知情報１０ａを印刷しておけば、受領票１１、貼付票１２及びシール部１３が剥離された葉書付き配送伝票を配送物７から取り出した際、この通知情報１０ａを配送物７の配送先に通知することができる。また、葉書部２０の通知情報記載欄２４に印字された通知情報２４ａが配送物７の配送先に通知されることになる。
【００３８】
その後、配送物７から取り出された葉書付き配送伝票に設けられた葉書部２０を用いた返信を行うことができる。
【００３９】
図４及び図５は、図１に示した葉書付き配送伝票に設けられた葉書部２０を用いた返信方法を説明するための図である。
【００４０】
配送物７から取り出された葉書付き配送伝票に設けられた葉書部２０を用いて返信を行う場合は、まず、図４（ａ）に示すように、剥離台紙１ｃに形成されたミシン目５０を破断することにより剥離台紙１ｃのうち配送伝票１０の残存部となる領域を葉書部２０から切り離す。
【００４１】
次に、図４（ｂ）に示すように、葉書部２０において、印字台紙１ａと支持台紙１ｂとを剥離する。葉書部２０においては、印字台紙１ａと支持台紙１ｂとが、支持台紙１ｂに塗布された擬似接着剤２によって互いに貼着されているものの、印字台紙１ａの貼着面には剥離用印刷５が施されているため、これら印字台紙１ａと支持台紙１ｂとを容易に剥離することができる。葉書部２０において印字台紙１ａと支持台紙１ｂとを剥離すると、支持台紙１ｂ及び剥離台紙１ｃの葉書部２０となる領域と、印字台紙１ａの葉書部２０及び帳票部３０となる領域とが分離する。なお、印字台紙１ａの支持台紙１ｂとの貼着面に施された剥離用印刷５として、例えば、広告情報を印刷しておけば、配送物７の配送先にこの広告情報を通知することができる。
【００４２】
このように、葉書部２０の通知情報記載欄２４に通知情報２４ａを印字しておくことにより、別途印刷物を作製することなく、配送物７の配送先に情報を通知することができるようになり、さらには、葉書部２０のうち印字台紙１ａの支持台紙１ｂとの貼着面に施された剥離用印刷５として、通知すべき情報を印刷しておけば、葉書部２０において印字台紙１ａと支持台紙１ｂとを剥離した際に、配送物７の配送先にさらに多くの情報を通知することができるようになる。
【００４３】
そして、支持台紙１ｂ及び剥離台紙１ｃの葉書部２０となる領域を用いて返信を行うことになる。
【００４４】
支持台紙１ｂの葉書部２０となる領域には、配送物７の配送先からの返信に用いる場合の宛先を示す宛先情報２５が印字されているため、葉書部２０において印字台紙１ａと支持台紙１ｂとを剥離すると、図５（ａ）に示すように宛先情報２５が表出する。
【００４５】
そして、図５（ｂ）に示すように、葉書本体２１と補助部２２とを、支持台紙１ｂ及び剥離台紙１ｃに形成されたミシン目２３を破断することによって切り離す。
【００４６】
図５（ｃ）に示すように補助部２２が切り離された葉書本体２１は、支持台紙１ｂと剥離台紙１ｃとが貼着されてなるものであるため、葉書として決められた所定の厚さが確保されており、この葉書本体２１を投函することによって返信することができる。
【００４７】
また、帳票部３０においては、納品書３１に印字された明細情報３１ａが配送物７の配送先に通知されるとともに、納品書３１と振込用紙３２とがミシン目４０を破断することによって切り離され、振込用紙３２を用いて配送物７の代金の支払いが行われる。
【００４８】
（第２の実施の形態）
図６は、本発明の葉書付き配送伝票の第２の実施の形態を示す図であり、（ａ）は表面図、（ｂ）は（ａ）に示したＡ−Ａ’断面図、（ｃ）は（ａ）に示したＢ−Ｂ’断面図、（ｄ）は（ｂ），（ｃ）に示した支持台紙１０１ｂの表面の構成を示す図である。
【００４９】
本形態は、第１の実施の形態にて示したものに対して、葉書部１２０の構成のみが異なるものである。本形態における葉書部１２０は図６に示すように、葉書本体１２１と補助部１２２とが、支持台紙１０１ｂにおいてはスリット１２３によって分離可能となっているものの、剥離台紙１０１ｃにおいては分離可能となっておらずにスリット１２３に対向する領域を折り部として折り畳み可能に連接している。また、補助部１２２においては、支持台紙１０１ｂの剥離台紙１０１ｃとの貼着面に剥離剤１０４が塗布されているとともに、剥離台紙１０１ｃのそれと対向する面には、貼着後の剥離が可能でかつ剥離後の再貼着が可能な貼着構造を構成する弱粘着再剥離糊１０６が塗布されている。また、葉書本体１２１には、剥離台紙１０１ｃの補助部１２２となる領域を折り畳んだ際に対向する領域に、申込情報を隠蔽情報として記入するための隠蔽情報記入欄１２６が設けられている。
【００５０】
以下に、上記のように構成された葉書付き配送伝票の使用方法について説明する。
【００５１】
まず、葉書付き配送伝票に対して印字を行うが、葉書付き配送伝票に対する印字は、第１の実施の形態にて示したものと同様に、配送伝票１１０に設けられた配送情報記載欄１１１ａ，１１２ａに、この配送伝票１１０が貼付される配送物の配送先や配送元の住所や氏名、あるいは配送物の品名等の配送情報がそれぞれ印字されるとともに、納品書１３１に、この配送伝票用シートが用いられて配送される配送物についての明細情報が印字され、また、振込用紙１３２には、配送物の代金を支払うために必要となる払込情報が印字される。また、葉書部１２０に設けられた通知情報記載欄１２４に、この葉書付き配送伝票が用いられて配送される配送物の配送先に通知される通知情報が印字される。
【００５２】
配送情報記載欄１１１ａ，１１２ａに配送情報がそれぞれ印字されるとともに、納品書１３１に明細情報が印字され、また、振込用紙１３２に払込情報が印字され、さらに、通知情報記載欄１２４に通知情報が印字された葉書付き配送伝票は、第１の実施の形態にて示したものと同様に、受領票１１１、貼付票１１２及びシール部１１３が剥離され、受領票１１１、貼付票１１２及びシール部１１３が配送物に貼付されるとともに、その他の部分が配送物の中に収納されて配送されることになる。
【００５３】
そして、受領票１１１、貼付票１１２及びシール部１１３が貼付された配送物が配送先に配送された後、第１の実施の形態にて示したものと同様に、受領票１１１の押印欄１１１ｂに受領印が押下され、受領票１１１となる領域において印字台紙１０１ａと支持台紙１０１ｂとが剥離されて受領票１１１が回収される。
【００５４】
また、受領票１１１、貼付票１１２及びシール部１１３が剥離された葉書付き配送伝票は、配送物から取り出され、第１の実施の形態にて示したものと同様に、剥離台紙１０１ｃに形成されたミシン目１５０を破断することにより配送伝票１１０を葉書部１２０から切り離し、さらに、葉書部１２０において、印字台紙１０１ａと支持台紙１０１ｂとを剥離することによって、葉書部１２０の支持台紙１０１ｂ及び剥離台紙１０１ｃを帳票部１３０から分離し、葉書部１２０を用いた返信を行うことになる。
【００５５】
図７は、図６に示した葉書部１２０の使用方法を説明するための図である。
【００５６】
帳票部１３０から分離した葉書部１２０を使用する場合は、まず、図７（ａ）に示すように、葉書本体１２１に設けられた隠蔽情報記入欄１２６に、申込情報を隠蔽情報１２６ａとして記入する。
【００５７】
次に、図７（ｂ）に示すように、補助部１２２において、支持台紙１０１ｂと剥離台紙１０１ｃとを剥離する。補助部１２２においては、支持台紙１０１ｂと剥離台紙１０１ｃとが、剥離台紙１０１ｃに塗布された弱粘着再剥離糊１０６によって互いに貼着されているものの、支持台紙１０１ｂの貼着面には剥離剤１０４が塗布されているため、これら支持台紙１０１ｂと剥離台紙１０１ｃとを容易に剥離することができる。なお、剥離台紙１０１ｃに塗布された弱粘着再剥離糊１０６は、上述したように、貼着後の剥離が可能なものであるため、支持台紙１０１ｂの貼着面に剥離剤１０４が塗布されていなくても、支持台紙１０１ｂと剥離台紙１０１ｃとを剥離することができる。この際、支持台紙１０１ｂの葉書本体１２１と補助部１２２との境界にはスリット１２３が形成されており、このスリット１２３は印字台紙１０１ａのみに形成されているので、葉書本体１２１と補助部１２２とにおいては、剥離台紙１０１ｃが連接したまま、支持台紙１０１ｂのみにおいて補助部１２２が葉書本体１２１から分離する。
【００５８】
すると、補助部１２２において、剥離台紙１０１ｃに塗布された弱粘着再剥離糊１０６が表出し、図７（ｃ）に示すように、剥離台紙１０１ｃの補助部１２２となる領域を折り畳み、弱粘着再剥離糊１０６によって葉書本体１２１に貼着する。
【００５９】
これにより、図７（ｄ）に示すように、葉書本体１２１に設けられた隠蔽情報記入欄１２６に記入された隠蔽情報１２６ａが視認不可能な状態となり、この葉書部１２０を送付することにより、隠蔽情報記入欄１２６に記入された隠蔽情報１２６ａを送付途中にて隠蔽しながらも、送付先に通知することができる。なお、剥離台紙１０１ｃの補助部１２２となる領域のうち弱粘着再剥離糊１０６が塗布された面、あるいはその反対側の面に地紋印刷を施しておくことにより、剥離台紙１０１ｃの補助部１２２となる領域が葉書本体１２１に貼着された状態において、葉書部１２０が光に透かされた場合であっても、隠蔽情報記入欄１２６に記入された隠蔽情報１２６ａが視認されてしまうことを回避することができる。剥離台紙１０１ｃの補助部１２２となる領域のうち弱粘着再剥離糊１０６が塗布された面に地紋印刷を施す場合は、弱粘着再剥離糊１０６の下層に地紋印刷を施すことになる。また、剥離台紙１０１ｃのうち隠蔽情報記入欄１２６に対向する領域や、支持台紙１０１ｂの剥離台紙１０１ｃとの貼着面のうち隠蔽情報記入欄１２６に対向する領域に地紋印刷を施しておくことによっても、同様の効果を奏する。
【００６０】
またこの際、隠蔽情報記入欄１２６に記入された隠蔽情報１２６ａを隠蔽するために隠蔽情報記入欄１２６上に貼着されるものが、剥離台紙１０１ｃの１枚のみであるため、葉書部１２０を送付する際に補助部１２２が貼着された領域と他の領域とで厚さの差が小さくなり、郵便区分け機に葉書本体１２０を通した場合にエラーが生じてしまうことを回避することができる。
【００６１】
このようにして送付された葉書部１２０は、その送付先において、貼着された葉書本体１２１と補助部１２２とが剥離されて見開かれ、隠蔽情報記入欄１２６に記入された隠蔽情報１２６ａが通知されることになる。この際、葉書本体１２１と補助部１２２とは、補助部１２２に塗布された弱粘着再剥離糊１０６によって貼着されているものの、弱粘着再剥離糊１０６は、上述したように、貼着後の剥離が可能なものであるため、互いに剥離することができる。
【００６２】
また、帳票部１３０においては、第１の実施の形態にて示したものと同様に、納品書１３１に印字された明細情報１３１ａが配送物の配送先に通知されるとともに、納品書１３１と振込用紙１３２とがミシン目１４０によって切り離され、振込用紙１３２を用いて配送物の代金の支払いが行われる。
【００６３】
なお、本形態においては、葉書部１２０において、支持台紙１０１ｂに隠蔽情報記入欄１２６が設けられるとともに補助部１２２となる領域に剥離剤１０４が塗布され、剥離台紙１０１ｃの補助部１２２となる領域に弱粘着再剥離糊１０６が塗布され、支持台紙１０１ｂの葉書本体１２１と補助部１２２との境界にスリット１２３が形成されたものを例に挙げて説明したが、支持台紙１０１ｂと剥離台紙１０１ｃの構成を入れ替え、剥離台紙１０１ｃに隠蔽情報記入欄が設けられるとともに補助部１２２となる領域に剥離剤１０４が塗布され、支持台紙１０１ｂの補助部１２２となる領域に弱粘着再剥離糊１０６が塗布され、剥離台紙１０１ｃの葉書本体１２１と補助部１２２との境界にスリットが形成されたものであってもよい。
【００６４】
（第３の実施の形態）
図８は、本発明の葉書付き配送伝票の第３の実施の形態を示す図であり、（ａ）は表面図、（ｂ）は（ａ）に示したＡ−Ａ’断面図、（ｃ）は（ａ）に示したＢ−Ｂ’断面図、（ｄ）は（ｂ），（ｃ）に示した支持台紙２０１ｂの表面の構成を示す図である。
【００６５】
本形態は、第１の実施の形態にて示したものに対して、葉書部２２０の構成のみが異なるものである。本形態における葉書部２２０は図８に示すように、葉書本体２２１と補助部２２２とが、支持台紙２０１ｂ及び剥離台紙２０１ｃにおいて折り部２２３にて折り畳み可能に構成されている。また、補助部２２２においては、支持台紙２０１ｂの印字台紙２０１ａとの貼着面に、貼着後の剥離が可能でかつ剥離後の再貼着が可能な貼着構造を構成する弱粘着再剥離糊２０６が塗布されている。また、葉書本体２２１には、補助部２２２を折り畳んだ際に対向する領域に、申込情報を隠蔽情報として記入するための隠蔽情報記入欄２２６が設けられている。
【００６６】
以下に、上記のように構成された葉書付き配送伝票の使用方法について説明する。
【００６７】
まず、葉書付き配送伝票に対して印字を行うが、葉書付き配送伝票に対する印字は、第１の実施の形態にて示したものと同様に、配送伝票２１０に設けられた配送情報記載欄２１１ａ，２１２ａに、この配送伝票２１０が貼付される配送物の配送先や配送元の住所や氏名、あるいは配送物の品名等の配送情報がそれぞれ印字されるとともに、納品書２３１に、この配送伝票用シートが用いられて配送される配送物についての明細情報が印字され、また、振込用紙２３２には、配送物の代金を支払うために必要となる払込情報が印字される。また、葉書部２２０に設けられた通知情報記載欄２２４に、この葉書付き配送伝票が用いられて配送される配送物の配送先に通知される通知情報が印字される。
【００６８】
配送情報記載欄２１１ａ，２１２ａに配送情報がそれぞれ印字されるとともに、納品書２３１に明細情報が印字され、また、振込用紙２３２に払込情報が印字され、さらに、通知情報記載欄２２４に通知情報が印字された葉書付き配送伝票は、第１の実施の形態にて示したものと同様に、受領票２１１、貼付票２１２及びシール部２１３が剥離され、受領票２１１、貼付票２１２及びシール部２１３が配送物に貼付されるとともに、その他の部分が配送物の中に収納されて配送されることになる。
【００６９】
そして、受領票２１１、貼付票２１２及びシール部２１３が貼付された配送物が配送先に配送された後、第１の実施の形態にて示したものと同様に、受領票２１１の押印欄２１１ｂに受領印が押下され、受領票２１１となる領域において印字台紙２０１ａと支持台紙２０１ｂとが剥離されて受領票２１１が回収される。
【００７０】
また、受領票２１１、貼付票２１２及びシール部２１３が剥離された葉書付き配送伝票は、配送物から取り出され、第１の実施の形態にて示したものと同様に、剥離台紙２０１ｃに形成されたミシン目２５０を破断することにより配送伝票２１０を葉書部２２０から切り離し、さらに、葉書部２２０において、印字台紙２０１ａと支持台紙２０１ｂとを剥離することによって、葉書部２２０の支持台紙２０１ｂ及び剥離台紙２０１ｃを帳票部２３０から分離し、葉書部２２０を用いた返信を行うことになる。
【００７１】
図９は、図８に示した葉書部２２０の使用方法を説明するための図である。
【００７２】
帳票部２３０から分離した葉書部２２０を使用する場合は、まず、図９（ａ）に示すように、葉書本体２２１に設けられた隠蔽情報記入欄２２６に、申込情報を隠蔽情報２２６ａとして記入する。
【００７３】
次に、図９（ｂ）に示すように、補助部２２２を折り畳み、補助部２２２に塗布された弱粘着再剥離糊２０６によって葉書本体２２１に貼着する。
【００７４】
これにより、図９（ｃ）に示すように、葉書本体２２１に設けられた隠蔽情報記入欄２２６に記入された隠蔽情報２２６ａが視認不可能な状態となり、この葉書部２２０を送付することにより、隠蔽情報記入欄２２６に記入された隠蔽情報２２６ａを送付途中にて隠蔽しながらも、送付先に通知することができる。なお、第２の実施の形態にて示したものと同様に、補助部２２２となる領域において、支持台紙２０１ｂの剥離台紙２０１ｃとの貼着面や剥離台紙２０１ｃに地紋印刷を施しておくことにより、補助部２２２が葉書本体２２１に貼着された状態において、葉書部２２０が光に透かされた場合であっても、隠蔽情報記入欄２２６に記入された隠蔽情報２２６ａが視認されてしまうことを回避することができる。
【００７５】
このようにして送付された葉書部２２０は、その送付先において、貼着された葉書本体２２１と補助部２２２とが剥離されて見開かれ、隠蔽情報記入欄２２６に記入された隠蔽情報２２６ａが通知されることになる。この際、葉書本体２２１と補助部２２２とは、補助部２２２に塗布された弱粘着再剥離糊２０６によって貼着されているものの、弱粘着再剥離糊２０６は、上述したように、貼着後の剥離が可能なものであるため、互いに剥離することができる。
【００７６】
また、帳票部２３０においては、第１の実施の形態にて示したものと同様に、納品書２３１に印字された明細情報２３１ａが配送物の配送先に通知されるとともに、納品書２３１と振込用紙２３２とがミシン目２４０によって切り離され、振込用紙２３２を用いて配送物の代金の支払いが行われる。
【００７７】
なお、本形態においては、葉書部２２０において、支持台紙２０１ｂに隠蔽情報記入欄２２６が設けられるとともに補助部２２２となる領域に弱粘着再剥離糊２０６が塗布されたものを例に挙げて説明したが、このような構成を剥離台紙２０１ｃに設けた構成としてもよい。
【００７８】
また、上述した３つの実施の形態においては、印字台紙１ａ，１０１ａ，２０１ａと支持台紙１ｂ，１０１ｂ，２０１ｂとを貼着するために、擬似接着剤２，１０２，２０２を用いているが、配送伝票１０，１１０，２１０の貼付票１２，１１２，２１２及びシール部１３，１１３，２１３となる領域においては、配送伝票１０，１１０，２１０を配送物に貼付するための粘着剤３，１０３，２０３を用いることも考えられる。
【００７９】
また、上述した３つの実施の形態においては、配送伝票１０，１１０，２１０、葉書部２０，１２０，２２０及び帳票部３０，１３０，２３０が連接した構成を例に挙げて説明したが、本発明は、少なくとも、印字台紙１ａ，１０１ａ，２０１ａと支持台紙１ｂ，１０１ｂ，２０１ｂと剥離台紙１ｃ，１０１ｃ，２０１ｃとからなる配送伝票１０，１１０，２１０と葉書部２０，１２０，２２０とがこれら印字台紙１ａ，１０１ａ，２０１ａと支持台紙１ｂ，１０１ｂ，２０１ｂと剥離台紙１ｃ，１０１ｃ，２０１ｃとによって連接した構成であればよい。
【符号の説明】
【００８０】
１ａ，１０１ａ，２０１ａ    印字台紙
１ｂ，１０１ｂ，２０１ｂ    支持台紙
１ｃ，１０１ｃ，２０１ｃ    剥離台紙
２，１０２，２０２    擬似接着剤
３，１０３，２０３    粘着剤
４，１０４，２０４    剥離剤
５，１０５，２０５    剥離用印刷
７    配送物
１０，１１０，２１０    配送伝票
１０ａ，２４ａ    通知情報
１１，１１１，２１１    受領票
１１ａ，１２ａ，１１１ａ，１１２ａ，２１１ａ，２１２ａ    配送伝票記載欄
１１ｂ，１１１ｂ，２１１ｂ    押印欄
１１ｃ，１１１ｃ，２１１ｃ    切り欠き
１１ｄ，１２ｂ    配送情報
１２，１１２，２１２    貼付票
１３，１１３，２１３    シール部
１４ａ，１４ｂ，４０，１１４ａ，１１４ｂ，１２３    スリット
２０，１２０，２２０    葉書部
２１，１２１，２２１    葉書本体
２２，１２２，２２２    補助部
２３，５０，６０    ミシン目
２４，１２４，２２４    通知情報記載欄
２５，１２５，２２５    宛先情報
３０，１３０，２３０    帳票部
３１，１３１，２３１    納品書
３１ａ    明細情報
３２，１３２，２３２    振込用紙
３２ａ    払込情報
１０６，２０６    弱粘着再剥離糊
１２６，２２６    隠蔽情報記入欄
１２６ａ，２２６ａ    隠蔽情報
２２３    折り部
【図１】
2010280161.tif 000003
【図２】
2010280161.tif 000004
【図３】
2010280161.tif 000005
【図４】
2010280161.tif 000006
【図５】
2010280161.tif 000007
【図６】
2010280161.tif 000008
【図７】
2010280161.tif 000009
【図８】
2010280161.tif 000010
【図９】
2010280161.tif 000011